(57)【要約】【課題】カメラをホールディングすることで電源が入り、持ち直さずに撮影可能なカメラを提供する。【解決手段】グリップ１２は左右にスライド可能であり、撮影者がカメラ１０をホールドすると右手の人差し指、中指、薬指、小指がグリップ１２の凸部にかかり、握り締める動作によって自然にグリップ１２を外側へ引張る形状となっている。本体ケース１４には板金土台２０がネジ３４で固定されており、板金土台２０上にはスライド土台１６がカシメピン２６でカシメられている。カシメピン２６は長孔２８をカシメているのでスライド土台１６は長孔２８の長さだけ左右にスライド可能である。撮影者がカメラ１０を把持し、グリップ１２を握る動作によってグリップ１２は外側へ引かれ、長孔２８の長さだけスライドする。これによりスライド土台１６も外側へ長孔２８の長さだけスライドするのでスライド土台１６の端部に設けられた検出片２４がスライドし、グリップ位置検出用に設けられたマイクロスイッチ２２を押す。これによりカメラ１０全体の電源がオンされる。【選択図】　図１
2004029491.tif 000002
【特許請求の範囲】
【請求項１】
ボディ前面にホールディング用のグリップを設け、前記グリップ内に電源スイッチを設け、撮影者が前記グリップをホールドする指の動きにより前記電源スイッチがオンされることを特徴としたカメラ。
【請求項２】
前記グリップ内にグリップ位置検出スイッチを設け、撮影者が前記グリップをホールドする指の動きにより前記グリップがスライドし、グリップ位置検出スイッチがオンされることによってカメラの電源がオンされることを特徴とした請求項１に記載のカメラ。
【発明の詳細な説明】
【０００１】
【発明の属する技術分野】
本発明はカメラに関するものである。
【０００２】
【従来の技術】
従来から、カメラ本体を把持することによってグリップ部の接触検知センサやグリップ部の通電端子、または本体内蔵の光学センサが把持動作を検出し、カメラ本体の電源をオンする例が存在する。
【０００３】
しかし、これらのセンサを利用する方法は人間の手による把持動作以外を誤検出することが多く、不用意に電源がオンされる確率が高いため撮影者自身が電源をオンする方法に比較すると確実性に欠けている。
【０００４】
あるいは、図５に示すようにカメラ１００にスライド式のレンズカバー１０２を設け、これをスライドさせることによってレンズ１０６が露出し、かつカメラ１００本体内部の電源スイッチがオンされるカメラが存在する。この例では、スライドさせたレンズカバー１０２上にはグリップ部１０４が設けられており、電源オン時にはグリップ部１０４に指をかけ、カメラ１００のグリップとして使用できるが、電源オフ時にはグリップ部１０４に指が届かないため電源をオンしたのちにカメラ１００を把持しなおす必要がある。
【０００５】
【発明が解決しようとする課題】
本発明は上記事実を考慮し、カメラをホールディングすることで電源が入り、持ち直さずに撮影可能なカメラを提供することを課題とする。
【０００６】
【課題を解決するための手段】
請求項１に記載のカメラはボディ前面にホールディング用のグリップを設け、前記グリップ内に電源スイッチを設け、撮影者が前記グリップをホールドする指の動きにより前記電源スイッチがオンされることを特徴とする。
【０００７】
上記構成の発明では、ボディ前面に設けられたホールディンググリップ内部に電源スイッチを設け、撮影者がグリップをホールドする指の動きによって電源スイッチがオンされるので、撮影者は電源スイッチの存在を意識せずカメラをホールドするだけで電源がオンになる。これにより撮影者は被写体から目を離さず撮影に集中できる。
【０００８】
請求項２に記載のカメラはグリップ内にグリップ位置検出スイッチを設け、撮影者が前記グリップをホールドする指の動きにより前記グリップがスライドしグリップ位置検出スイッチがオンされることによりカメラの電源がオンされることを特徴とする。
【０００９】
上記構成の発明では、グリップ内部にグリップ位置検出スイッチを設け、撮影者がグリップをホールドする指の動きでグリップがスライドし、グリップ位置検出スイッチがオンされる。これによりカメラの電源がオンされるため、撮影者はカメラをホールドしたまま持ち直す必要がなく、撮影に集中できる。
【００１０】
【発明の実施の形態】
図１には、第１形態に係るカメラの分解図が示されている。
【００１１】
図１に示すようにカメラ１０は箱型で略正方形の前方投影面をもち、本体ケース１４の前面をグリップ１２と化粧パネル１８で覆う構造となっている。
【００１２】
グリップ１２は左右にスライド可能であり、撮影者がカメラ１０をホールドすると右手の人差し指、中指、薬指、小指がグリップ１２の凸部にかかり、握り締める動作によって自然にグリップ１２を外側へ引張る形状となっている。
【００１３】
本体ケース１４には板金土台２０がネジ３４で固定されており、板金土台２０上にはスライド土台１６がカシメピン２６でカシメられている。カシメピン２６は長孔２８をカシメているのでスライド土台１６は長孔２８の長さだけ左右にスライド可能である。
【００１４】
スライド土台１６にはグリップ１２がネジ孔３２で固定されている。スライド土台１６は長孔２８の長さだけ左右にスライド可能なので、スライド土台１６上に固定されているグリップ１２もまた長孔２８の長さだけ左右にスライド可能な構造となっている。
【００１５】
このため、図２に示すように撮影者がカメラ１０を把持し、グリップ１２を握る動作によってグリップ１２は外側すなわち図面上では左側へ引かれ、長孔２８の長さだけスライドする。これによりスライド土台１６も外側へ長孔２８の長さだけスライドする。
【００１６】
このときスライド土台１６の端部に設けられた検出片２４がスライドし、グリップ位置検出用に設けられたマイクロスイッチ２２を押す。これによりカメラ１０全体の電源がオンされる。
【００１７】
従来のカメラでは電源をオンする操作の際に一旦手を離すか、または持ち替える必要があるが、本願発明ではホールドしたグリップ１２を握るという自然な動作でカメラ１０の電源がオンされるので、カメラ１０を持ち替える必要はなく、そのまま撮影操作に入ることができる。
【００１８】
図３には板金土台２０とスライド土台１６の関係が示されている。
【００１９】
板金土台２０は図示しない本体ケースにネジ孔３４で固定され、本体ケースの前面の一部をカバーする形状となっている。且つ、グリップ１２を支持する土台としての強度を備えている。
【００２０】
板金土台２０上にはスライド土台１６がスライド可能に設けられている。スライド土台１６の３箇所に開けられた長穴２８をカシメピン２６でカシメたことにより、矢印のように長孔２８の長さだけ板金土台２０上でスライド土台１６をスライドさせることができる。
【００２１】
スライド土台１６にはグリップ１２を取付けるためのネジ孔３２が設けられ、この上にグリップ１２が固定される。このためグリップ１２が外側（図面上では左）に引かれるとスライド土台１６もまた左にスライドする。このグリップ１２の移動量は、大き過ぎればホールド位置が変わってしまうためホールド性が悪くなり、小さ過ぎればスイッチオン／オフが過敏になってしまうので３〜１０ｍｍ程度の範囲から適切な数値を設定する。
【００２２】
スライド土台１６が外側（図面上では左）にスライドすると、スライド土台１６に設けられた検出片２４がマイクロスイッチ２２を押し、押されたマイクロスイッチ２２がスライド土台１６すなわちグリップ１２のスライド位置を検出する。これによりカメラ１０の電源がオンされる。よって撮影者がグリップ１２を握る動作によりカメラ１０の電源がオンされることになる。
【００２３】
また、スライド土台１６にはクリック部３０が設けられている。操作感を向上させるためグリップ１２の移動ストロークは３〜１０ｍｍ程度に設定されているので、グリップ１２のスライドによるスライド土台１６の移動量もまた同程度であり、フリクションだけでは動いてしまう可能性があるため、電源オン／オフの状態を保持するにはグリップ１２にオン／オフそれぞれクリックを設ける必要がある。
【００２４】
図４にはクリック部３０の構造が示されている。
【００２５】
図４（Ａ）に示すようにクリック部３０はスライド土台１６から延設され、フリクションを持って板金土台２０と接している。クリック部３０には２個の突起部３６が設けられ、突起部３６の裏側には凹部が形成されている。板金土台２０には、突起部３６の裏側凹部に係合する大きさの係合部３８が突起部３６と同じ間隔で３箇所に設けられ、うち２箇所は常に突起部３６と係合している。
【００２６】
図４（Ａ）Ｘ〜Ｘ’の断面図を図４（Ｂ）、図４（Ｃ）に示す。
【００２７】
板金土台２０上でフリクションを持ちながら移動するクリック部３０は、電源オン／オフの各状態において突起部３６が係合部３８と係合する位置で停止する。
【００２８】
まず図４（Ｂ）で電源オフの状態となっているクリック部３０は、突起部３６が係合部３８の右側２個と係合し、電源オフの状態を保持している。
【００２９】
このとき撮影者がグリップ１２を握り、スライド土台１６が図面上で左へ押圧されると、クリック部３０は突起部３６と係合部３８の係合力の範囲内において現状を維持しようとするが、係合力を超えてスライド土台１６が押圧されると、突起部３６は係合部３８を乗り越えて図面上で左へ移動を開始する。移動中は、クリック部３０は係合部３８に乗り上げた状態なので、移動中の抵抗はフリクションだけとなり、軽い操作感を維持できる。
【００３０】
そのままクリック部３０が図面上左方向へ移動すると、左側２個の係合部３８と突起部３６が係合する位置に達する。ここでクリック部３０はクリック感を伴って停止し、図４（Ｃ）に示すように突起部３６は左側２個の係合部３８と係合する。このとき検出片２４はマイクロスイッチ２２を押した状態すなわち電源オンの状態であり、突起部３６と係合部３８の係合力で電源オンの状態が保持される。
【００３１】
このとき電源オフ／オン間のストロークは突起部３６の間隔すなわち係合部３８の間隔に規正されるので、当該間隔は長孔２８の長さよりも僅かに短く設定しておけば、長孔２８長さを無駄にせず、且つクリック位置を乗り越えてグリップ１２を動かそうとしても長孔２８で規制されるので安全である。
【００３２】
ここで突起部３６と係合部３８の係合をより確実にするためにクリック部３０を板金土台２０方向に付勢するように押圧するバネ部材を設けてもよいし、または別個にクリック機構を設けてもよい。
【００３３】
【発明の効果】
本発明は上記構成としたので、カメラをホールディングすることで電源が入り、持ち直さずに撮影可能なカメラとすることができた。
【図面の簡単な説明】
【図１】本実施形態１に係るカメラの斜視図である。
【図２】本実施形態１に係るカメラの使用法を示した図である。
【図３】本実施形態１に係るカメラの内部構造図である。
【図４】本実施形態１に係るカメラの内部構造図である。
【図５】従来のカメラの正面図である。
【符号の説明】
１０　　カメラ
１２　　グリップ
１４　　本体ケース
１６　　スライド土台
１８　　化粧パネル
２０　　板金土台
２２　　マイクロスイッチ
２４　　検出片
２６　　カシメピン
２８　　長孔
３０　　クリック部
３２　　ネジ孔
３４　　ネジ孔
３６　　突起部
３８　　係合部
【図１】
2004029491.tif 000003
【図２】
2004029491.tif 000004
【図３】
2004029491.tif 000005
【図４】
2004029491.tif 000006
【図５】
2004029491.tif 000007